【手続補正書】
【提出日】平成16年1月9日(2004.1.9)
【手続補正１】
【補正対象書類名】明細書
【補正対象項目名】特許請求の範囲
【補正方法】変更
【補正の内容】
【特許請求の範囲】
【請求項１】
複数色の画像をそれぞれ担持する複数の像担持体と、転写材を担持搬送する転写材担持体と、前記転写材担持体による転写材の搬送方向において最上流で前記転写材担持体を支持する第１回転部材及び最下流で前記転写材担持体を支持する第２回転部材と、を有し、前記各像担持体と前記転写材担持体が接触する各転写位置にて、前記各像担持体上の画像が前記転写材担持体に担持された転写材に転写される画像形成装置において、
前記第１回転部材と前記第２回転部材の前記像担持体側の共通接線は前記転写位置より前記像担持体側に設けられていることを特徴とする画像形成装置。
【請求項２】
前記各転写位置を結んだ線は、前記各像担持体が設けられる側とは反対側に凸形状であることを特徴とする請求項１記載の画像形成装置。
【請求項３】
前記各像担持体上の像は、第１の転写位置、第２の転写位置、第３の転写位置、第４の転写位置において、前記転写材担持体に担持された転写材に順次重ねて転写され、前記第２の転写位置および前記第３の転写位置の少なくとも一方は、前記第１の転写位置および前記第４の転写位置よりも前記転写材担持体側に設けられていることを特徴とする請求項２記載の画像形成装置。
【請求項４】
前記転写材担持体の移動方向と実質的に直交する方向において、前記第２の転写位置および前記第３の転写位置の少なくとも一方は、前記第１の転写位置および前記第４の転写位置よりも、０．５〜５ｍｍ離れていることを特徴とする請求項３記載の画像形成装置。
【請求項５】
前記転写材担持体はベルトであることを特徴とする請求項１記載の画像形成装置。
【請求項６】
前記転写材担持体による転写材の搬送方向は、実質的に鉛直方向であることを特徴とする請求項１記載の画像形成装置。
【請求項７】
複数色の画像をそれぞれ担持する複数の像担持体と、転写材を担持搬送する転写材担持体と、を有し、前記各像担持体と前記転写材担持体が接触する各転写位置にて、前記各像担持体上の画像が前記転写材担持体に担持された転写材に転写される画像形成装置において、
前記転写材担持体による転写材の搬送方向において、第１の像担持体、第２の像担持体、第３の像担持体が順に設けられ、前記第２の像担持体と前記転写材担持体とが接触する第２の転写位置は、前記第１の像担持体と前記転写材担持体とが接触する第１の転写位置と、前記第３の像担持体と前記転写材担持体が接触する第３の転写位置とを結ぶ線よりも前記転写材担持体側に設けられていることを特徴とする画像形成装置。
【請求項８】
前記転写材担持体の移動方向と実質的に直交する方向において、前記第２の転写位置は、前記第１の転写位置および前記第３の転写位置よりも、０．５〜５ｍｍ離れていることを特徴とする請求項７記載の画像形成装置。
【請求項９】
前記転写材担持体による転写材の搬送方向において、前記第１の像担持体と前記第３の像担持体との間に第４の像担持体を有することを特徴とする請求項７記載の画像形成装置。
【請求項１０】
前記第２の転写位置および前記第４の像担持体と前記転写材担持体とが接触する第４の転写位置は、前記第１の転写位置と前記第３の転写位置とを結ぶ線よりも前記転写材担持体側に設けられていることを特徴とする請求項９記載の画像形成装置。
【請求項１１】
前記転写材担持体はベルトであることを特徴とする請求項７記載の画像形成装置。
【請求項１２】
前記転写材担持体による転写材の搬送方向は、実質的に鉛直方向であることを特徴とする請求項７記載の画像形成装置。
【請求項１３】
画像を担持する像担持体と、中間転写体と、前記中間転写体による画像の搬送方向において最上流で前記中間転写体を支持する第１回転部材及び最下流で前記中間転写体を支持する第２回転部材と、を有し、前記像担持体と前記中間転写体が接触する転写位置にて、前記像担持体上の画像が前記中間転写体に転写される画像形成装置において、
前記第１回転部材と前記第２回転部材の前記像担持体側の共通接線は前記転写位置より前記像担持体側に設けられていることを特徴とする画像形成装置。
【請求項１４】
前記像担持体は複数色の画像をそれぞれを担持するために複数設けられ、前記各像担持体と前記中間転写体とが接触する各転写位置において、前記各像担持体上の画像は前記中間転写体に転写されることを特徴とする請求項１３記載の画像形成装置。
【請求項１５】
前記各転写位置を結んだ線は、前記各像担持体が設けられる側とは反対側に凸形状であることを特徴とする請求項１４記載の画像形成装置。
【請求項１６】
前記各像担持体上の像は、第１の転写位置、第２の転写位置、第３の転写位置、第４の転写位置において、前記中間転写体に順次重ねて転写され、前記第２の転写位置および前記第３の転写位置の少なくとも一方は、前記第１の転写位置および前記第４の転写位置よりも前記中間転写体側に設けられることを特徴とする請求項１５記載の画像形成装置。
【請求項１７】
前記中間転写体による像の搬送方向と実質的に直交する方向において、前記第２の転写位置および前記第３の転写位置の少なくとも一方は、前記第１の転写位置および前記第４の転写位置よりも、０．５〜５ｍｍ離れていることを特徴とする請求項１６記載の画像形成装置。
【請求項１８】
前記中間転写体はベルトであることを特徴とする請求項１３記載の画像形成装置。
【請求項１９】
前記中間転写体による画像の搬送方向は、実質的に鉛直方向であることを特徴とする請求項１３記載の画像形成装置。
【請求項２０】
複数色の画像をそれぞれ担持する複数の像担持体と、中間転写体と、を有し、前記各像担持体上の像は前記中間転写体に転写される画像形成装置において、
前記中間転写体による画像の搬送方向において、第１の像担持体、第２の像担持体、第３の像担持体が順に設けられ、前記第２の像担持体と前記中間転写体とが接触する第２の転写位置は、前記第１の像担持体と前記中間転写体とが接触する第１の転写位置と、前記第３の像担持体と前記中間転写体とが接触する第３の転写位置とを結ぶ線よりも前記中間転写体側に設けられていることを特徴とする画像形成装置。
【請求項２１】
前記中間転写体による画像の搬送方向と実質的に直交する方向において、前記第２の転写位置は、前記第１の転写位置および前記第３の転写位置よりも、０．５〜５ｍｍ離れていることを特徴とする請求項２０記載の画像形成装置。
【請求項２２】
前記中間転写体による画像の搬送方向において、前記第１の像担持体と前記第３の像担持体との間に第４の像担持体を有することを特徴とする請求項２０記載の画像形成装置。
【請求項２３】
前記第２の転写位置および前記第４の像担持体と前記中間転写体とが接触する第４の転写位置は、前記第１の転写位置と前記第３の転写位置とを結ぶ線よりも前記中間転写体側に設けられていることを特徴とする請求項２２記載の画像形成装置。
【請求項２４】
前記中間転写体はベルトであることを特徴とする請求項２０記載の画像形成装置。
【請求項２５】
前記中間転写体による画像の搬送方向は、実質的に鉛直方向であることを特徴とする請求項２０記載の画像形成装置。
【手続補正２】
【補正対象書類名】明細書
【補正対象項目名】００２０
【補正方法】変更
【補正の内容】
【００２０】
【課題を解決するための手段】
上記目的は本発明に係る画像形成装置にて達成される。要約すれば、本発明は、複数色の画像をそれぞれ担持する複数の像担持体と、転写材を担持搬送する転写材担持体と、前記転写材担持体による転写材の搬送方向において最上流で前記転写材担持体を支持する第１回転部材及び最下流で前記転写材担持体を支持する第２回転部材と、を有し、前記各像担持体と前記転写材担持体が接触する各転写位置にて、前記各像担持体上の画像が前記転写材担持体に担持された転写材に転写される画像形成装置において、
前記第１回転部材と前記第２回転部材の前記像担持体側の共通接線は前記転写位置より前記像担持体側に設けられていることを特徴とする画像形成装置である。


【手続補正３】
【補正対象書類名】明細書
【補正対象項目名】００２２
【補正方法】変更
【補正の内容】
【００２２】
本発明による他の実施態様によると、前記各像担持体上の像は、第１の転写位置、第２の転写位置、第３の転写位置、第４の転写位置において、前記転写材担持体に担持された転写材に順次重ねて転写され、前記第２の転写位置および前記第３の転写位置の少なくとも一方は、前記第１の転写位置および前記第４の転写位置よりも前記転写材担持体側に設けられている。


【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】変更
【補正の内容】
【００２４】
本発明による他の実施態様によると、前記転写材担持体の移動方向と実質的に直交する方向において、前記第２の転写位置および前記第３の転写位置の少なくとも一方は、前記第１の転写位置および前記第４の転写位置よりも、０．５〜５ｍｍ離れている。
本発明による他の実施態様によると、前記転写材担持体はベルトである。
本発明による他の実施態様によると、前記転写材担持体による転写材の搬送方向は、実質的に鉛直方向である。
【手続補正６】
【補正対象書類名】明細書
【補正対象項目名】００２５
【補正方法】変更
【補正の内容】
【００２５】
本発明による第２の態様によると、複数色の画像をそれぞれ担持する複数の像担持体と、転写材を担持搬送する転写材担持体と、を有し、前記各像担持体と前記転写材担持体が接触する各転写位置にて、前記各像担持体上の画像が前記転写材担持体に担持された転写材に転写される画像形成装置において、
前記転写材担持体による転写材の搬送方向において、第１の像担持体、第２の像担持体、第３の像担持体が順に設けられ、前記第２の像担持体と前記転写材担持体とが接触する第２の転写位置は、前記第１の像担持体と前記転写材担持体とが接触する第１の転写位置と、前記第３の像担持体と前記転写材担持体が接触する第３の転写位置とを結ぶ線よりも前記転写材担持体側に設けられていることを特徴とする画像形成装置が提供される。


【手続補正７】
【補正対象書類名】明細書
【補正対象項目名】００２６
【補正方法】変更
【補正の内容】
【００２６】
本発明による一実施態様によると、前記転写材担持体の移動方向と実質的に直交する方向において、前記第２の転写位置は、前記第１の転写位置および前記第３の転写位置よりも、０．５〜５ｍｍ離れている。


【手続補正８】
【補正対象書類名】明細書
【補正対象項目名】００２７
【補正方法】変更
【補正の内容】
【００２７】
本発明による他の実施態様によると、前記転写材担持体による転写材の搬送方向において、前記第１の像担持体と前記第３の像担持体との間に第４の像担持体を有する。


【手続補正９】
【補正対象書類名】明細書
【補正対象項目名】００２８
【補正方法】変更
【補正の内容】
【００２８】
本発明による他の実施態様によると、前記第２の転写位置および前記第４の像担持体と前記転写材担持体とが接触する第４の転写位置は、前記第１の転写位置と前記第３の転写位置とを結ぶ線よりも前記転写材担持体側に設けられている。


【手続補正１０】
【補正対象書類名】明細書
【補正対象項目名】００２９
【補正方法】変更
【補正の内容】
【００２９】
本発明による他の実施態様によると、前記転写材担持体はベルトである。


【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】削除
【補正の内容】
【手続補正１５】
【補正対象書類名】明細書
【補正対象項目名】００３４
【補正方法】削除
【補正の内容】
【手続補正１６】
【補正対象書類名】明細書
【補正対象項目名】００３５
【補正方法】変更
【補正の内容】
【００３５】
本発明による他の実施態様によると、前記転写材担持体による転写材の搬送方向は、実質的に鉛直方向である。


【手続補正１７】
【補正対象書類名】明細書
【補正対象項目名】００３６
【補正方法】削除
【補正の内容】
【手続補正１８】
【補正対象書類名】明細書
【補正対象項目名】００３７
【補正方法】変更
【補正の内容】
【００３７】
本発明による第３の態様によると、画像を担持する像担持体と、中間転写体と、前記中間転写体による画像の搬送方向において最上流で前記中間転写体を支持する第１回転部材及び最下流で前記中間転写体を支持する第２回転部材と、を有し、前記像担持体と前記中間転写体が接触する転写位置にて、前記像担持体上の画像が前記中間転写体に転写される画像形成装置において、
前記第１回転部材と前記第２回転部材の前記像担持体側の共通接線は前記転写位置より前記像担持体側に設けられていることを特徴とする画像形成装置が提供される。


【手続補正１９】
【補正対象書類名】明細書
【補正対象項目名】００３８
【補正方法】変更
【補正の内容】
【００３８】
本発明による一実施態様によると、前記像担持体は複数色の画像をそれぞれを担持するために複数設けられ、前記各像担持体と前記中間転写体とが接触する各転写位置において、前記各像担持体上の画像は前記中間転写体に転写される。


【手続補正２０】
【補正対象書類名】明細書
【補正対象項目名】００４０
【補正方法】変更
【補正の内容】
【００４０】
本発明による他の実施態様によると、前記各像担持体上の像は、第１の転写位置、第２の転写位置、第３の転写位置、第４の転写位置において、前記中間転写体に順次重ねて転写され、前記第２の転写位置および前記第３の転写位置の少なくとも一方は、前記第１の転写位置および前記第４の転写位置よりも前記中間転写体側に設けられる。


【手続補正２１】
【補正対象書類名】明細書
【補正対象項目名】００４１
【補正方法】削除
【補正の内容】
【手続補正２２】
【補正対象書類名】明細書
【補正対象項目名】００４２
【補正方法】変更
【補正の内容】
【００４２】
本発明による他の実施態様によると、前記中間転写体による像の搬送方向と実質的に直交する方向において、前記第２の転写位置および前記第３の転写位置の少なくとも一方は、前記第１の転写位置および前記第４の転写位置よりも、０．５〜５ｍｍ離れている。
本発明による他の実施態様によると、前記中間転写体はベルトである。
本発明による他の実施態様によると、前記中間転写体による画像の搬送方向は、実質的に鉛直方向である。
【手続補正２３】
【補正対象書類名】明細書
【補正対象項目名】００４３
【補正方法】変更
【補正の内容】
【００４３】
本発明による第４の態様によると、複数色の画像をそれぞれ担持する複数の像担持体と、中間転写体と、を有し、前記各像担持体上の像は前記中間転写体に転写される画像形成装置において、
前記中間転写体による画像の搬送方向において、第１の像担持体、第２の像担持体、第３の像担持体が順に設けられ、前記第２の像担持体と前記中間転写体とが接触する第２の転写位置は、前記第１の像担持体と前記中間転写体とが接触する第１の転写位置と、前記第３の像担持体と前記中間転写体とが接触する第３の転写位置とを結ぶ線よりも前記中間転写体側に設けられていることを特徴とする画像形成装置が提供される。


【手続補正２４】
【補正対象書類名】明細書
【補正対象項目名】００４４
【補正方法】変更
【補正の内容】
【００４４】
本発明による一実施態様によると、前記中間転写体による画像の搬送方向と実質的に直交する方向において、前記第２の転写位置は、前記第１の転写位置および前記第３の転写位置よりも、０．５〜５ｍｍ離れている。


【手続補正２５】
【補正対象書類名】明細書
【補正対象項目名】００４５
【補正方法】変更
【補正の内容】
【００４５】
本発明による他の実施態様によると、前記中間転写体による画像の搬送方向において、前記第１の像担持体と前記第３の像担持体との間に第４の像担持体を有する。


【手続補正２６】
【補正対象書類名】明細書
【補正対象項目名】００４６
【補正方法】変更
【補正の内容】
【００４６】
本発明による他の実施態様によると、前記第２の転写位置および前記第４の像担持体と前記中間転写体とが接触する第４の転写位置は、前記第１の転写位置と前記第３の転写位置とを結ぶ線よりも前記中間転写体側に設けられている。


【手続補正２７】
【補正対象書類名】明細書
【補正対象項目名】００４７
【補正方法】変更
【補正の内容】
【００４７】
本発明による他の実施態様によると、前記中間転写体はベルトである。
本発明による他の実施態様によると、前記中間転写体による画像の搬送方向は、実質的に鉛直方向である。
【手続補正２８】
【補正対象書類名】明細書
【補正対象項目名】００４８
【補正方法】削除
【補正の内容】
【手続補正２９】
【補正対象書類名】明細書
【補正対象項目名】００４９
【補正方法】削除
【補正の内容】
【手続補正３０】
【補正対象書類名】明細書
【補正対象項目名】００５０
【補正方法】削除
【補正の内容】
【手続補正３１】
【補正対象書類名】明細書
【補正対象項目名】００５１
【補正方法】削除
【補正の内容】
【手続補正３２】
【補正対象書類名】明細書
【補正対象項目名】００５２
【補正方法】削除
【補正の内容】
【手続補正３３】
【補正対象書類名】明細書
【補正対象項目名】０１２０
【補正方法】変更
【補正の内容】
【０１２０】
【発明の効果】
以上の説明から明らかなように、本発明の画像形成装置によれば、転写材担持体による転写材の搬送方向において最上流で前記転写材担持体を支持する第１回転部材と、最下流で前記転写材担持体を支持する第２回転部材の像担持体側の共通接線が転写位置より前記像担持体側に設けられていることにより、あるいは、転写材担持体による転写材の搬送方向において、第１の像担持体、第２の像担持体、第３の像担持体が順に設けられ、前記第２の像担持体と前記転写材担持体とが接触する第２の転写位置が、前記第１の像担持体と前記転写材担持体とが接触する第１の転写位置と、前記第３の像担持体と前記転写材担持体が接触する第３の転写位置とを結ぶ線よりも前記転写材担持体側に設けられていることにより、転写材担持体に担持された転写材への像転写を良好に行いつつ、転写材に形成される画像に色ずれが発生するのを防止することができ、従って、高品質画像を得ることができ、また、転写材が転写材担持体からはがれてしまうのを防止することができる。


【手続補正３４】
【補正対象書類名】明細書
【補正対象項目名】０１２１
【補正方法】変更
【補正の内容】
【０１２１】
また、中間転写体による画像の搬送方向において最上流で前記中間転写体を支持する第１回転部材と、最下流で前記中間転写体を支持する第２回転部材の像担持体側の共通接線が転写位置より前記像担持体側に設けられていることにより、あるいは、中間転写体による画像の搬送方向において、第１の像担持体、第２の像担持体、第３の像担持体が順に設けられ、前記第２の像担持体と前記中間転写体とが接触する第２の転写位置が、前記第１の像担持体と前記中間転写体とが接触する第１の転写位置と、前記第３の像担持体と前記中間転写体とが接触する第３の転写位置とを結ぶ線よりも前記中間転写体側に設けられていることにより、像担持体から中間転写体への像転写を良好に行うことができ、高品質画像を得ることができる。